(57)【要約】【課題】ＬＡＮボードが動作中に省電力動作モードに移行することで生じる通信の遅延を抑止する。【解決手段】ネットワークカード１０は、スキャナー装置３０が電力を通常に消費する通常状態、および電力を低減して消費する節電状態の何れの状態かを検出する状態検出部１８と、自身が通常状態であり、スキャナー装置３０が節電状態であることを状態検出部１８が検出した場合、ＬＡＮ５０を介して指示される指示情報の有無に応じて、自身を節電状態に切り替えるか、否かを判断するモード移行判断部２０と、モード移行判断部２０の判断に基づき、自身を通常状態および節電状態の何れかに切り替えるモード切り替え部２６とを備える。【選択図】図１
2011175510.tif 000002
【特許請求の範囲】
【請求項１】
情報処理装置に接続することで、前記情報処理装置に従属して作動し、前記情報処理装置とネットワークとを通信可能に接続する通信装置であって、
前記情報処理装置が電力を通常に消費する通常状態、および前記電力を低減して消費する節電状態の何れの状態かを検出する検出部と、
自身が電力を通常に消費する通常状態であり、前記情報処理装置が前記節電状態であることを前記検出部が検出した場合、前記ネットワークを介して指示される指示情報の有無に応じて、前記電力を低減して消費する節電状態に自身を切り替えるか、否かを判断する判断部と、
前記判断部の判断に基づいて、自身を前記通常状態および前記節電状態の何れかに切り替える切り替え部と、を備えることを特徴とする通信装置。
【請求項２】
請求項１に記載の通信装置において、
前記判断部は、前記指示情報が前記情報処理装置の動作を伴わない指示を実行中である場合、自身の前記節電状態への切り替えを判断しないことを特徴とする通信装置。
【請求項３】
請求項２に記載の通信装置において、
前記判断部は、前記指示の実行が終了し、更に、前記情報処理装置が前記節電状態であることを前記検出部が検出した場合、前記節電状態への切り替えを判断することを特徴とする通信装置。
【請求項４】
請求項１乃至３のいずれか１項に記載の通信装置において、
前記検出部は、前記情報処理装置の状態を所定の時間毎に取得することを特徴とする通信装置。
【請求項５】
情報処理装置に接続することで、前記情報処理装置に従属して作動し、前記情報処理装置とネットワークとを通信可能に接続する通信装置の制御方法であって、
前記情報処理装置が電力を通常に消費する通常状態、および前記電力を低減して消費する節電状態の何れの状態かを検出する検出工程と、
自身が電力を通常に消費する通常状態であり、前記情報処理装置が前記節電状態であることを前記検出工程で検出した場合、前記ネットワークを介して指示される指示情報の有無に応じて、自身を節電状態に切り替えるか、否かを判断する判断工程と、
前記判断工程の判断に基づいて、自身を前記通常状態および前記節電状態の何れかに切り替える切り替え工程と、を有することを特徴とする通信装置の制御方法。
【請求項６】
情報処理装置と、前記情報処理装置に従属して作動し、前記情報処理装置とネットワークとを通信可能に接続する通信装置と、が通信により接続された情報処理システムであって、
前記情報処理装置は、
前記通信装置と通信する第１の通信部と、
所定の情報処理を実行する情報処理部と、を備え、
前記通信装置は、
前記情報処理装置と通信する第２の通信部と、
前記情報処理装置が電力を通常に消費する通常状態、および前記電力を低減して消費する節電状態の何れの状態かを検出する検出部と、
自身が電力を通常に消費する通常状態であり、前記情報処理装置が前記節電状態であることを前記検出部が検出した場合、前記ネットワークを介して指示される指示情報の有無に応じて、前記電力を低減して消費する節電状態に自身を切り替えるか、否かを判断する判断部と、
前記判断部の判断に基づいて、自身を前記通常状態および前記節電状態の何れかに切り替える切り替え部と、を備えることを特徴とする情報処理システム。
【請求項７】
請求項６に記載の情報処理システムにおいて、
前記第１の通信部は、前記情報処理部の状態が変化した場合、前記通信装置に通知する通知部を備えることを特徴とする情報処理システム。
【請求項８】
請求項６に記載の情報処理システムにおいて、
前記第１の通信部は、前記通信装置からの前記情報処理部の状態に関する問い合わせに対して応答する応答部を備えることを特徴とする情報処理システム。
【発明の詳細な説明】
【技術分野】
【０００１】
本発明は、通信装置、通信装置の制御方法および情報処理システムに関する。
【背景技術】
【０００２】
情報機器に装着することで、ＬＡＮ（Ｌｏｃａｌ  Ａｒｅａ  Ｎｅｔｗｏｒｋ）のノードとして機能するＬＡＮボード（ネットワークカード）は、ＬＡＮ上におけるパケットデータの流れを常に監視しなければならないため、内部回路全体に対する電力供給がカットされることなく、常に一定レベルの電力供給を受けて動作させる必要があった。
このようなＬＡＮボードを装着した情報機器の消費電力を低減させるべく、下記特許文献１に示すように、ＬＡＮボードは、情報機器の電力消費状態を監視し、情報機器が省電力動作モードに移行したことを検出した場合、自身の通信速度を低速度にして電力消費を低減した。
【先行技術文献】
【特許文献】
【０００３】
【特許文献１】特開２００１−１５４７６３号公報
【発明の概要】
【発明が解決しようとする課題】
【０００４】
しかしながら、ＬＡＮボードは、情報機器が省電力動作モードに移行した場合には、ユーザーがＬＡＮを介してＬＡＮボードを設定している最中であっても、自身を省電力動作モードに移行した。そのため、ＬＡＮへの再接続が必要になり、通信速度が低速になって、ＬＡＮボードを設定するための通信に多くの時間を要した。本発明は、ＬＡＮボードが動作中に省電力動作モードに移行することで生じる通信の遅延を抑止することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる通信装置は、情報処理装置に接続することで、前記情報処理装置に従属して作動し、前記情報処理装置とネットワークとを通信可能に接続する通信装置であって、前記情報処理装置が電力を通常に消費する通常状態、および前記電力を低減して消費する節電状態の何れの状態かを検出する検出部と、自身が電力を通常に消費する通常状態であり、前記情報処理装置が前記節電状態であることを前記検出部が検出した場合、前記ネットワークを介して指示される指示情報の有無に応じて、前記電力を低減して消費する節電状態に自身を切り替えるか、否かを判断する判断部と、前記判断部の判断に基づいて、自身を前記通常状態および前記節電状態の何れかに切り替える切り替え部と、を備えることを特徴とする。
【０００７】
このような構成によれば、通信装置は、情報処理装置が節電状態であることを検出した場合、ネットワークを介して指示される指示情報の有無に応じて、節電状態に切り替えるか、否かを判断して切り替えるため、ネットワークを介して指示される指示情報の有無に応じた切り替えを行うことで、動作中に省電力動作モードに移行することにより生じる通信の遅延を抑止することができる。
【０００８】
［適用例２］
上記適用例にかかる通信装置において、前記判断部は、前記指示情報が前記情報処理装置の動作を伴わない指示を実行中である場合、自身の前記節電状態への切り替えを判断しないことが好ましい。
【０００９】
このような構成によれば、指示情報が情報処理装置の動作が不要な指示であって、その指示を実行中である場合は、節電状態への切り替えを抑止できる。
【００１０】
［適用例３］
上記適用例にかかる通信装置において、前記判断部は、前記指示の実行が終了し、更に、前記情報処理装置が前記節電状態であることを前記検出部が検出した場合、前記節電状態への切り替えを判断することが好ましい。
【００１１】
このような構成によれば、指示の実行が終了し、更に、情報処理装置が節電状態である場合は、自身を節電状態へ移行させることができる。
【００１２】
［適用例４］
上記適用例にかかる通信装置において、前記検出部は、前記情報処理装置の状態を所定の時間毎に取得しても良い。
【００１３】
［適用例５］
本適用例にかかる通信装置の制御方法は、情報処理装置に接続することで、前記情報処理装置に従属して作動し、前記情報処理装置とネットワークとを通信可能に接続する通信装置の制御方法であって、前記情報処理装置が電力を通常に消費する通常状態、および前記電力を低減して消費する節電状態の何れの状態かを検出する検出工程と、自身が電力を通常に消費する通常状態であり、前記情報処理装置が前記節電状態であることを前記検出工程で検出した場合、前記ネットワークを介して指示される指示情報の有無に応じて、自身を節電状態に切り替えるか、否かを判断する判断工程と、前記判断工程の判断に基づいて、自身を前記通常状態および前記節電状態の何れかに切り替える切り替え工程と、を有することを特徴とする。
【００１４】
このような方法によれば、通信装置は、情報処理装置が節電状態であることを検出した場合、ネットワークを介して指示される指示情報の有無に応じて、節電状態に切り替えるか、否かを判断して切り替えるため、ネットワークを介して指示される指示情報の有無に応じた切り替えを行うことで、動作中に省電力動作モードに移行することにより生じる通信の遅延を抑止することができる。
【００１５】
［適用例６］
本適用例にかかる情報処理システムは、情報処理装置と、前記情報処理装置に従属して作動し、前記情報処理装置とネットワークとを通信可能に接続する通信装置と、が通信により接続された情報処理システムであって、前記情報処理装置は、前記通信装置と通信する第１の通信部と、所定の情報処理を実行する情報処理部と、を備え、前記通信装置は、前記情報処理装置と通信する第２の通信部と、前記情報処理装置が電力を通常に消費する通常状態、および前記電力を低減して消費する節電状態の何れの状態かを検出する検出部と、自身が電力を通常に消費する通常状態であり、前記情報処理装置が前記節電状態であることを前記検出部が検出した場合、前記ネットワークを介して指示される指示情報の有無に応じて、前記電力を低減して消費する節電状態に自身を切り替えるか、否かを判断する判断部と、前記判断部の判断に基づいて、自身を前記通常状態および前記節電状態の何れかに切り替える切り替え部と、を備えることを特徴とする。
【００１６】
このような構成によれば、通信装置は、情報処理装置が節電状態であることを検出した場合、ネットワークを介して指示される指示情報の有無に応じて、節電状態に切り替えるか、否かを判断して切り替えるため、ネットワークを介して指示される指示情報の有無に応じた切り替えを行うことで、動作中に省電力動作モードに移行することにより生じる通信の遅延を抑止することができる。
【００１７】
［適用例７］
上記適用例にかかる情報処理システムにおいて、前記第１の通信部は、前記情報処理部の状態が変化した場合、前記通信装置に通知する通知部を備えることが好ましい。
【００１８】
このような構成によれば、情報処理部の状態の変化を即座に通信装置に通知できる。
【００１９】
［適用例８］
上記適用例にかかる情報処理システムにおいて、前記第１の通信部は、前記通信装置からの前記情報処理部の状態に関する問い合わせに対して応答する応答部を備えても良い。
【図面の簡単な説明】
【００２０】
【図１】本発明の実施形態として、スキャナー装置と、ネットワークカードを備える情報処理システムの構成を示すブロック図。
【図２】スキャナー装置と、ネットワークカードの状態遷移を示す図。
【図３】ネットワークカードにおける処理の流れを示すフローチャート。
【発明を実施するための形態】
【００２１】
以下、本発明の通信装置について図面を参照して説明する。
【００２２】
（実施形態）
図１は、本発明の実施形態として、情報処理装置としてのスキャナー装置３０と、通信装置としてのネットワークカード１０を備える情報処理システム５の構成を示すブロック図である。
スキャナー装置３０は、スキャナー機能を有するスキャナー部３４と、ユーザーがスキャナー装置３０を操作するための操作パネル３２と、装着したネットワークカード１０と通信する本体通信部３６と、を備える。本実施形態では、スキャナー部３４は、所定の画像処理を実行する情報処理部である。尚、本体通信部３６は、汎用の入出力ポートを介して通信するＩ／Ｏ通信部３８と、ＵＳＢ（Ｕｎｉｖｅｒｓａｌ  Ｓｅｒｉａｌ  Ｂｕｓ）の規格に従い、ホストコントローラーとデバイス間で通信するＵＳＢ通信部４０を有する。Ｉ／Ｏ通信部３８は、スキャナー部３４の状態が変化した場合、ネットワークカード１０に通知する通知部である。また、ＵＳＢ通信部４０は、ネットワークカード１０からスキャナー部３４の状態に関する問い合わせに対して応答する応答部である。
【００２３】
このスキャナー装置３０は、プッシュスキャンおよびプルスキャンの何れにも対応できる。即ち、プルスキャンを行う場合、ＬＡＮ５０に接続されたクライアント装置４５から送信される読み取り命令に応じて、スキャナー部３４が原稿の読み取りを開始し、読み取った原稿の画像データをクライアント装置４５に対して送信する。また、プッシュスキャンを行う場合、原稿の読み取りを指示する操作が操作パネル３２で行われるのを受けて、スキャナー部３４が原稿の読み取りを開始し、読み取った原稿の画像データをユーザーが指定したクライアント装置４５に対して送信する。
【００２４】
また、このスキャナー装置３０は、規定の電力を消費する通常状態（通常モード）と、必要最小限の機能を除いて機能を休止することで消費する電力を低減する節電状態（節電モード）の２つのモードを有し、後述する所定の条件に応じて２つのモードが切り替わる。本実施形態では、モードが切り替わった場合、Ｉ／Ｏ通信部３８からネットワークカード１０のＩ／Ｏ通信部１４に対して、モード変更に関する情報が通知されるように構成されているが、Ｉ／Ｏ通信部３８からの通知に限定されない。例えば、ＵＳＢ通信部４０を用いて、ネットワークカード１０が所定の間隔でスキャナー装置３０に問い合わせて応答することで、モード変更に関する情報をネットワークカード１０が取得しても良い。
また、このスキャナー装置３０は、何れも図示は略した、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、光源、光学系、光電変換素子、走査駆動系、原稿用紙自動給紙装置（ＡＤＦ）および液晶パネル等をハードウェアとして備える。尚、本実施形態では、スキャナー装置３０は、単一機能の装置を想定するが、これに限定されるものではなく、プリンターやコピー機能を更に具備した複合機の様態でも良い。
【００２５】
ネットワークカード１０は、スキャナー装置３０に装着し、ＬＡＮ５０におけるノードとして、スキャナー装置３０とＬＡＮ５０とを通信可能に接続する。このネットワークカード１０は、従属通信部１２、状態検出部１８、モード移行判断部２０、ネットワーク通信部２２、モード切り替え部２６およびＣＰＵクロック設定部２８を備える。
このネットワークカード１０は、何れも図示は略した、ＣＰＵ、ＲＯＭ、ＲＡＭ、フラッシュメモリーおよびＭＡＣ（Ｍｅｄｉａ  Ａｃｃｅｓｓ  Ｃｏｎｔｒｏｌ）コントローラー等をハードウェアとして備える。
【００２６】
このネットワークカード１０は、スキャナー装置３０に従属して動作する。従って、スキャナー装置３０が通常モードから節電モードに移行した場合、ネットワークカード１０は、スキャナー装置３０が節電モードに移行したことを検出して、通常モードから節電モードに移行する。また、スキャナー装置３０が節電モードから通常モードに移行した場合、ネットワークカード１０は、スキャナー装置３０が通常モードに移行したことを検出して、節電モードから通常モードに移行する。
尚、本実施形態では、ネットワークカード１０の節電モードとは、種々のタスクを処理するＣＰＵのクロック周波数を減速したり、ネットワークの通信速度を減速したりすることで、ネットワークカード１０の消費電力が低減した状態を言う。尚、ＣＰＵのクロック周波数を変化させる制御装置は、例えば、特開２００９−２８２９９８号公報に開示されている。また、ネットワークの通信速度を変化させる制御方法は、例えば、特開２００９−４９６０２号公報に開示されている。
従属通信部１２は、スキャナー装置３０との間で通信を行う機能を有する。この従属通信部１２は、スキャナー装置３０の本体通信部３６と同様に、Ｉ／Ｏ通信部１４とＵＳＢ通信部１６を有する。
【００２７】
ネットワーク通信部２２は、ＯＳＩ（Ｏｐｅｎ  Ｓｙｓｔｅｍ  Ｉｎｔｅｒｃｏｎｎｅｃｔｉｏｎ）参照モデルのような階層化されたプロトコルに基づき、ＬＡＮ５０を介してクライアント装置４５との間で情報を送受信し、従属通信部１２との間で通信データを授受することで、スキャナー装置３０をＬＡＮ５０に通信可能に接続する。また、このネットワーク通信部２２は、ネットワーク通信の速度を設定する通信速度設定部２４を備える。この通信速度設定部２４は、モード切り替え部２６から送られる通信速度設定指示に応じて、ネットワーク通信の速度を設定し、ネットワークカード１０の節電モードと通常モードを切り替える。また、このネットワーク通信部２２は、処理中のステータスに関する処理情報を参照可能に生成しており、モード移行判断部２０は必要に応じて処理情報を参照する。
【００２８】
状態検出部１８は、スキャナー装置３０のＩ／Ｏ通信部３８からネットワークカード１０のＩ／Ｏ通信部１４に通知されるモード変更に関する情報を所定の時間毎に取得し、スキャナー装置３０のモード状態の変更を検出する。状態検出部１８がスキャナー装置３０のモード状態の変更を検出した場合、状態検出部１８は、モードの変更を示す状態情報をモード移行判断部２０に送る。
モード移行判断部２０は、状態検出部１８から送られる状態情報を受けて、その状態情報を解析し、スキャナー装置３０が一方のモードから他方のモードに変更したことを示す場合、ネットワークカード１０も一方のモードから他方のモードに移行させるか、否かを判断する。本実施形態では、スキャナー装置３０が通常モードから節電モードに変更した場合、モード移行判断部２０は、自身が通常モードであれば、ネットワーク通信部２２の処理情報を参照して、通常モードから節電モードに移行するか、否かを決定する。
【００２９】
より詳細には、モード移行判断部２０は、ネットワーク通信部２２から処理中のステータスに関する処理情報を参照し、クライアント装置４５からスキャナー装置３０のステータス問い合わせのように、スキャナー装置３０の動作を必要としない指令を処理している場合は、その処理が終了するまで待ち、処理の終了を待って、再度、スキャナー装置３０が節電モードであることを確認する。この確認の結果、スキャナー装置３０が節電モードを維持している場合、モード切り替え部２６に対して、節電モードへの移行を指示する。また、スキャナー装置３０が通常モードに戻った場合は、状態検出部１８から状態情報の送信を待つ。
他方で、モード移行判断部２０は、スキャナー装置３０が節電モードから通常モードに変更した場合、モード切り替え部２６に対して、節電モードから通常モードへの移行を指示する。
【００３０】
モード切り替え部２６は、モード移行判断部２０から送られるモード移行の指示に応じて、ネットワーク通信部２２の通信速度設定部２４に通信速度設定指示を送ると共に、ＣＰＵクロック設定部２８にクロック設定指示を送る。より詳細には、モード移行の指示が通常モードから節電モードへの移行を示す場合、ネットワーク通信部２２の通信速度を通常速度から所定の減速された速度に設定し、更に、ＣＰＵのクロックを通常速度から所定の減速された速度に設定する。他方で、モード移行の指示が節電モードから通常モードへの移行を示す場合、ネットワーク通信部２２の通信速度を所定の減速された速度から通常速度に設定し、更に、ＣＰＵのクロックを所定の減速された速度から通常速度に設定する。尚、本実施形態では、ネットワークの通信速度とＣＰＵのクロック周波数の両方を変更したが、何れか一方であっても良い。
【００３１】
図２は、情報処理システム５を構成するスキャナー装置３０と、ネットワークカード１０の状態遷移を示す図である。最初に、それぞれに電源の供給を開始する（ステップＳ７０）。続いて、スキャナー装置３０とネットワークカード１０は、それぞれ起動して初期化処理を行う（ステップＳ７５）。
情報処理システム５は、初期化処理を終了すると、「状態１」に遷移する。この「状態１」では、スキャナー装置３０とネットワークカード１０は、共に通常モードである。
「状態１」から遷移可能な状態は「状態２」であり、「条件Ａ」を満足する場合に遷移する。ここで、「状態２」では、スキャナー装置３０は節電モードであり、ネットワークカード１０は通常モードである。また、「条件Ａ」は、所定の時間に渡りスキャナー動作が実行されないことでタイムアウトになった場合や、ユーザーが操作パネル３２に設けられた省エネボタン（図示は略す。）を押下した場合である。
【００３２】
「状態２」において、「条件Ｂ」を満足する場合、「状態１」に戻る。ここで。「条件Ｂ」は、スキャナー装置３０がネットワークカード１０からの通信データを受信した場合、ユーザーが操作パネル３２を操作した場合、ＡＤＦに原稿がセットされた場合、およびスキャナー装置３０の原稿カバー（図示は略す。）がユーザーにより開けられた場合等である。
また、「状態２」において、「条件Ｃ」を満足する場合、「状態３」に遷移する。ここで、「状態３」では、スキャナー装置３０とネットワークカード１０とが共に節電モードである。また、「条件Ｃ」は、スキャナー装置３０が節電モードに移行したことをネットワークカード１０が検出した場合である。
「状態３」において、「条件Ｄ」を満足する場合、「状態２」に戻る。ここで、「条件Ｄ」は、ネットワークカード１０がスキャナー装置３０への通信を検出した場合である。
【００３３】
また、「状態３」において、「条件Ｅ」を満足する場合、「状態４」に遷移する。ここで、「状態４」では、スキャナー装置３０が通常モードであり、ネットワークカード１０が節電モードである。また、「条件Ｅ」は、スキャナー装置３０がネットワークカード１０からの通信データを受信した場合、ユーザーが操作パネル３２を操作した場合、ＡＤＦに原稿がセットされた場合、およびスキャナー装置３０の原稿カバー（図示は略す。）がユーザーにより開けられた場合等である。
「状態４」において、「条件Ｆ」を満足する場合、「状態３」に戻る。ここで、「条件Ｆ」は、所定の時間に渡りスキャナー動作が実行されないことでタイムアウトになった場合や、ユーザーが操作パネル３２に設けられた省エネ設定ボタン（図示は略す。）を押下した場合等である。
また、「状態４」において、「条件Ｇ」を満足する場合、「状態１」に遷移する。ここで、「条件Ｇ」は、ネットワークカード１０がスキャナー装置３０の通常状態への移行を検出した場合や、ネットワークカード１０がスキャナー装置３０への通信を検出した場合等である。
【００３４】
図３は、ネットワークカード１０が、図２で示した「状態１」から「状態３」に遷移する処理の流れを示すフローチャートである。最初に、ネットワークカード１０のＣＰＵは、スキャナー装置３０のモード状態を検出する（ステップＳ１００）＜検出工程＞。続いて、ＣＰＵは、検出したモード状態が節電モードであるか、否かを判定し（ステップＳ１０２）、スキャナー装置３０が通常モードである場合（ステップＳ１０２でＮｏ）、最初の工程（ステップＳ１００）に戻る。
他方で、スキャナー装置３０が節電モードである場合（ステップＳ１０２でＹｅｓ）、ＣＰＵは、ネットワークの処理情報を取得する（ステップＳ１０４）。続いて、ＣＰＵは、取得した処理情報から、ネットワーク処理がスキャナー装置３０の動作を必要としない指令を処理中であるか、否かを判定する（ステップＳ１０６）＜判断工程＞。
【００３５】
ここで、ネットワーク処理がスキャナー装置３０の動作を必要としない指令を処理中である場合（ステップＳ１０６でＹｅｓ）、ネットワークの処理情報を取得する工程（ステップＳ１０４）に戻り、処理中の処理が終了するまで待つ。
他方で、ネットワーク処理がスキャナー装置３０の動作を必要としない指令を処理していない場合（ステップＳ１０６でＮｏ）、ＣＰＵはスキャナー装置３０のモード状態を再度検出する（ステップＳ１０８）。続いて、ＣＰＵは、検出したモード状態が節電モードであるか、否かを判定し（ステップＳ１１０）、スキャナー装置３０が通常モードである場合（ステップＳ１１０でＮｏ）、最初の工程（ステップＳ１００）に戻る。
他方で、スキャナー装置３０が節電モードである場合（ステップＳ１１０でＹｅｓ）、ＣＰＵはネットワークの通信速度を最低速度に設定する（ステップＳ１１２）。続いて、ＣＰＵは自身のクロックを下げる設定を行い（ステップＳ１１４）＜切り替え工程＞、一連の処理を終了する。
【００３６】
以上述べた実施形態によれば、以下のような効果を奏する。
（１）スキャナー装置３０が節電モードに移行した場合であっても、ネットワークカード１０がスキャナー装置３０の動作を伴わないような所定の処理を行っている場合は、ネットワークカード１０は、節電モードに移行せず、所定の処理が終わり、スキャナー装置３０が節電モードである場合に、節電モードに移行するため、節電モードでＬＡＮ５０との再接続を行う際に生じる長い待ち時間を回避できる。
（２）スキャナー装置３０が節電モードに移行するのを契機として、ネットワークカード１０も所定の条件下において節電モードに移行するため、情報処理システム５としての消費電力を低減できる。
【００３７】
以上、本発明を図示した実施形態に基づいて説明したが、本発明は、本実施形態に限定されるものではなく、以下に述べるような変形例も想定できる。
（１）ネットワークカード１０を装着する情報処理装置はスキャナー装置３０に限定されるものではなく、プリンターやプロジェクターのような装置も想定できる。
【符号の説明】
【００３８】
５…情報処理システム、１０…ネットワークカード、１２…従属通信部、１４…Ｉ／Ｏ通信部、１６…ＵＳＢ通信部、１８…状態検出部、２０…モード移行判断部、２２…ネットワーク通信部、２４…通信速度設定部、２６…モード切り替え部、２８…ＣＰＵクロック設定部、３０…スキャナー装置、３２…操作パネル、３４…スキャナー部、３６…本体通信部、３８…Ｉ／Ｏ通信部、４０…ＵＳＢ通信部、４５…クライアント装置、５０…ＬＡＮ。
【図１】
2011175510.tif 000003
【図２】
2011175510.tif 000004
【図３】
2011175510.tif 000005